(57)【要約】【課題】可動片との接触によって遊技球のルートが大きく変化してしまうという問題を解消する。【解決手段】遊技盤面に、遊技球を内部の入賞領域２６へ導く入賞口２４と、該入賞口２４を開閉させる可動片２５と、入賞領域２６に設けられる特定入賞口２３とを備える可変入賞装置１４が設けられたパチンコ遊技機１であって、入賞領域２６を、中央遊技球通路２７を介して左右に分離すると共に、左右の各入賞領域２６Ｌ、２６Ｒの中央遊技球通路２７側に入賞口２４Ｌ、２４Ｒを形成し、これらの入賞口２４Ｌ、２４Ｒを、左右一対の可動片２５Ｌ、２５Ｒで開閉させ、さらに、左右一対の可動片２５Ｌ、２５Ｒは、入賞口２４Ｌ、２４Ｒを開放するとき、互いに近接する方向に傾倒動作し、その下方に閉室３１を形成する。【選択図】図３
2007260354.tif 000002
【特許請求の範囲】
【請求項１】
遊技盤面に、遊技球を内部の入賞領域へ導く入賞口と、該入賞口を開閉させる可動片と、入賞領域に設けられる特定入賞口とを備える可変入賞装置が設けられた弾球遊技機であって、
前記入賞領域を、中央遊技球通路を介して左右に分離すると共に、左右の各入賞領域の中央遊技球通路側に入賞口を形成し、これらの入賞口を、左右一対の可動片で開閉させ、さらに、左右一対の可動片は、入賞口を開放するとき、互いに近接する方向に傾倒動作し、その下方に閉室を形成することを特徴とする弾球遊技機。
【請求項２】
前記閉室の下部には、遊技球を振分けるステージが設けられることを特徴とする請求項１記載の弾球遊技機。
【請求項３】
前記ステージの下方には、可動片の開放契機となる始動口が配置されることを特徴とする請求項２記載の弾球遊技機。
【請求項４】
前記閉室内には、遊技釘が配置されることを特徴とする請求項１〜３のいずれかに記載の弾球遊技機。
【発明の詳細な説明】
【技術分野】
【０００１】
本発明は、パチンコ遊技機などの弾球遊技機に関し、特に、遊技盤面に、遊技球を内部の入賞領域へ導く入賞口と、該入賞口を開閉させる可動片と、入賞領域に設けられる特定入賞口とを備える可変入賞装置が設けられた弾球遊技機に関する。
【背景技術】
【０００２】
弾球遊技機の遊技盤面に設けられる可変入賞装置が知られている（特許文献１参照）。例えば、図４に示すように、羽根物と称される弾球遊技機の遊技盤面には、通常、可変入賞装置１００、第一始動口１０１及び第二始動口１０２が設けられている。第一始動口１０１に遊技球が入賞すると、可変入賞装置１００の可動片１０３が一回開放動作（例えば、０．４秒）され、第二始動口１０２に遊技球が入賞すると、可動片１０３が二回開放動作される。このとき、可動片１０３に遊技球が乗ると、遊技球が入賞口１０４を介して可変入賞装置１００の入賞領域１０５に導かれる。可変入賞装置１００の入賞領域１０５には、特定入賞口１０６があり、ここに遊技球が入賞すると、遊技者に有利な大当り動作が行われる。大当り動作は、所定回数にわたる可動片１０３の連続開閉動作を１ラウンドとし、これを規定ラウンド回数（例えば、１５回）繰り返すものであり、短時間に多くの遊技球を獲得できることから、遊技者は特定入賞口１０６への入賞を願って遊技を行っている。
【特許文献１】特開２００２−６５９９３号公報
【発明の開示】
【発明が解決しようとする課題】
【０００３】
しかしながら、この種の弾球遊技機では、遊技球を始動口に導くルート上に、可動片の動作領域を配置しているため、可動片の開放動作中に、可動片の動作領域に遊技球が流れ込むと、可動片が遊技球を拾わず、逆に遊技球を上記ルート外まで弾き飛ばしてしまうことがある。このような状況は、遊技者にとって好ましいものではなく、不快に思う遊技者もいるため、可及的に排除することが望まれるが、従来の弾球遊技機では、排除することが困難であった。
【課題を解決するための手段】
【０００４】
本発明は、上記の如き実情に鑑みこれらの課題を解決することを目的として創作されたものであり、遊技盤面に、遊技球を内部の入賞領域へ導く入賞口と、該入賞口を開閉させる可動片と、入賞領域に設けられる特定入賞口とを備える可変入賞装置が設けられた弾球遊技機であって、前記入賞領域を、中央遊技球通路を介して左右に分離すると共に、左右の各入賞領域の中央遊技球通路側に入賞口を形成し、これらの入賞口を、左右一対の可動片で開閉させ、さらに、左右一対の可動片は、入賞口を開放するとき、互いに近接する方向に傾倒動作し、その下方に閉室を形成することを特徴とする。このようにすると、開放動作する可動片によって遊技球が弾き飛ばされたとしても、遊技球は、可動片の下方に形成される閉室内に留まることができる。これにより、可動片との接触によって遊技球のルートが大きく変化してしまうという問題を解消することができる。
また、前記閉室の下部には、遊技球を振分けるステージが設けられることを特徴とする。このようにすると、左右の遊技球通路に比べ、中央遊技球通路の価値が高められるので、遊技者は、中央遊技球通路にだけ集中して遊技することができる。
また、前記ステージの下方には、可動片の開放契機となる始動口が配置されることを特徴とする。このようにすると、左右の遊技球通路に比べ、中央遊技球通路の価値をより高めることが可能になる。
また、前記閉室内には、遊技釘が配置されることを特徴とする。このようにすると、閉室内における遊技球の滞留時間を延長し、閉室に対する遊技者の注目度を高めることができる。
【発明の効果】
【０００５】
上記のように構成された本発明によれば、開放動作する可動片によって遊技球が弾き飛ばされたとしても、遊技球は、可動片の下方に形成される閉室内に留まることができる。これにより、可動片との接触によって遊技球のルートが大きく変化してしまうという問題を解消することができる。
【発明を実施するための最良の形態】
【０００６】
［弾球遊技機］
次に、本発明の実施形態について、図面に基づいて説明する。図１及び図２において、１はパチンコ遊技機（弾球遊技機）であって、該パチンコ遊技機１は、パチンコ島に固定される外枠２に対して、開閉自在に取り付けられている。パチンコ遊技機１の側方隣接位置には、台間玉貸し機３が並設され、この台間玉貸し機３に、現金又はプリペイドカードを投入することにより、台間玉貸し機３又はパチンコ遊技機１から遊技球が貸し出され、遊技球を用いたパチンコ遊技が可能になる。
【０００７】
パチンコ遊技機１の正面部は、遊技球が発射される遊技盤４と、その前方を覆う開閉自在なガラス枠５と、遊技球を溜める上皿６と、上皿６の余剰球を溜める下皿７と、遊技球の発射操作を行う発射ハンドル８と、台間玉貸し機３に遊技球の貸出指示を行う貸出操作部９と、効果音を発生するスピーカ１０とを備えており、また、パチンコ遊技機１の背面部は、払出用の遊技球を溜める遊技球タンク１１と、遊技球タンク１１内の遊技球を上皿６に払い出す賞球払出装置１２と、遊技球を発射する発射モータ（発射装置）１３と、各種の制御基板とを備えている。
【０００８】
図３に示すように、遊技盤４には、遊技領域の略中央部に配置される可変入賞装置１４と、可変入賞装置１４の下方に配置される始動口１５、１５と、始動口１５、１５の下方に配置される大入賞口１６と、可変入賞装置１４の左側方に配置されるゲート口１７と、遊技領域の最下部に配置されるアウト口１８と、遊技球を誘導する回転自在な風車１９と、多数の遊技釘２０と、普通図柄を変動表示する普通図柄表示装置２１と、特別図柄を変動表示する特別図柄表示装置２２とが設けられている。パチンコ遊技機１のゲーム仕様は、可変入賞装置１４内の特定入賞口２３に遊技球が入賞したとき、遊技者に有利な状態を出現させるものであることが好ましい。例えば、始動口１５、１５に対する遊技球の入賞に応じて特別図柄抽選を行うと共に、特別図柄抽選の当選に応じて可変入賞装置１４の入賞口２４を開放動作し、このとき入賞口２４から可変入賞装置１４内に飛び込んだ遊技球が特定入賞口２３に入賞したら、大当り動作として大入賞口１６を所定回数（例えば、１５ラウンド）に亘って開放動作させるようなゲーム仕様とすることができる。
【０００９】
［可変入賞装置］
図３に示すように、可変入賞装置１４は、遊技球を内部へ導く入賞口２４と、入賞口２４を開閉させる可動片２５と、内部の入賞領域２６に設けられる特定入賞口２３と、内部の入賞領域２６に設けられる普通入賞口（図示せず）とを備えて構成され、特定入賞口２３に対する遊技球の入賞を契機として、遊技者に有利な大当り動作を行う重要な役物である。
【００１０】
本実施形態に係る可変入賞装置１４では、入賞領域２６を、中央遊技球通路２７を介して左右に分離すると共に、左右の各入賞領域２６Ｌ、２６Ｒ内に特定入賞口２３Ｌ、２３Ｒを設け、さらに、左右の各入賞領域２６Ｌ、２６Ｒの中央遊技球通路２７側に入賞口２４Ｌ、２４Ｒを形成し、これらの入賞口２４Ｌ、２４Ｒを左右一対の可動片２５Ｌ、２５Ｒで開閉させるようになっている。このようにすると、可変入賞装置１４の内部領域だけでなく、可変入賞装置１４の外部領域でも遊技球の振分けを行うことが可能になる。つまり、可変入賞装置１４の外部領域において、遊技球が左右いずれの入賞領域２６Ｌ、２６Ｒに入賞するかという振分けを行うことができるので、玉流れの強さや玉流れの方向といったパチンコ遊技機特有の変化要因を可変入賞装置１４の振分けに反映させることができる。
【００１１】
左右の各入賞領域２６Ｌ、２６Ｒには、入賞口２４Ｌ、２４Ｒから入賞した遊技球を、普通入賞口と特定入賞口２３Ｌ、２３Ｒのいずれか一方に導く振分け装置２８Ｌ、２８Ｒを設けると共に、各振分け装置２８Ｌ、２８Ｒの振分け比率を相違させることが好ましい。このようにすると、左側入賞領域２６Ｌに対する入賞の価値と、右側入賞領域２６Ｒに対する入賞の価値との間に明確な差を生じさせることができるだけでなく、機械的な振分け抽選によって遊技者の期待感を高めることができる。
【００１２】
本実施形態の振分け装置２８Ｌ、２８Ｒに適用される振分け回転体は、周方向に並ぶ複数の遊技球保持孔２８ａ、２８ｂを有しており、常時一定方向に回転される。入賞口２４Ｌ、２４Ｒから入賞した遊技球は、いずれかの遊技球保持孔２８ａ、２８ｂに保持され、振分け回転体と共に回転する。遊技球保持孔２８ａ、２８ｂには、例えば、有底のものと無底のものとがあり、無底の遊技球保持孔２８ａに保持された遊技球は、回転の過程で普通入賞口に入賞し、そして遊技盤４の裏側へ導かれ、有底の遊技球保持溝２８ｂに保持された遊技球は、特定入賞口２３Ｌ、２３Ｒへ導かれる。
【００１３】
そして、本実施形態の振分け装置２８Ｌでは、無底の遊技球保持孔２８ａを４個、有底の遊技球保持溝２８ｂを１個としているので、入賞口２４Ｌから入賞した遊技球が特定入賞口２３Ｌに導かれる比率は、１／５となり、また、振分け装置２８Ｒでは、無底の遊技球保持孔２８ａを９個、有底の遊技球保持溝２８ｂを１個としているので、入賞口２４Ｒから入賞した遊技球が特定入賞口２３Ｒに導かれる比率は、１／１０となる。つまり、遊技球を左側から発射する通常のパチンコ遊技機１では、右側の入賞口２４Ｒの方が入賞いやすいので、右側の入賞領域２６Ｒに設けられる振分け装置２８Ｒの特定入賞口誘導比率を低くしている。
【００１４】
左右一対の可動片２５Ｌ、２５Ｒは、公知の開閉駆動機構を用いて、同時に開閉動作される。そして、入賞口２４Ｌ、２４Ｒを開放するときは、下端側を支点として中央遊技球通路２７側に回動し、山型の振分け部３０を形成する。換言すると、左右一対の可動片２５Ｌ、２５Ｒは、入賞口２４Ｌ、２４Ｒを開放するとき、互いに近接する方向に傾倒動作し、その下方に閉室３１を形成する。このようにすると、開放動作する可動片２５Ｌ、２５Ｒによって遊技球が弾き飛ばされたとしても、遊技球は、可動片２５Ｌ、２５Ｒの下方に形成される閉室３１内に留まることができる。これにより、可動片２５Ｌ、２５Ｒとの接触によって遊技球のルートが大きく変化してしまうという問題を解消することができる。
【００１５】
本実施形態では、閉室３１の下部に、遊技球を振分けるステージ３２が設けられると共に、その下方に、可動片２５Ｌ、２５Ｒの開放契機となる始動口１５、１５が配置されている。ステージ３２は、例えば、複数の開口３２ａを有しており、いずれかの開口３２ａから遊技球を排出させる。このとき、一つの開口３２ａ（例えば、中央の開口３２ａ）は、他の開口３２ａに比べ、遊技球を始動口１５、１５に導く比率が高くなっている。このようにすると、左右の遊技球通路に比べ、中央遊技球通路２７の価値が高められるので、遊技者は、中央遊技球通路２７にだけ集中して遊技することができる。
また、閉室３１内には、遊技釘３３が配置されることが好ましい。このようにすると、閉室３１内における遊技球の滞留時間を延長すると共に、閉室３１内における遊技球の動きが単調になることを回避し、閉室３１に対する遊技者の注目度を高めることができる。
【００１６】
叙述の如く構成された本実施形態によれば、遊技盤面に、遊技球を内部の入賞領域２６へ導く入賞口２４と、該入賞口２４を開閉させる可動片２５と、入賞領域２６に設けられる特定入賞口２３とを備える可変入賞装置１４が設けられたパチンコ遊技機１であって、入賞領域２６を、中央遊技球通路２７を介して左右に分離すると共に、左右の各入賞領域２６Ｌ、２６Ｒの中央遊技球通路２７側に入賞口２４Ｌ、２４Ｒを形成し、これらの入賞口２４Ｌ、２４Ｒを、左右一対の可動片２５Ｌ、２５Ｒで開閉させ、さらに、左右一対の可動片２５Ｌ、２５Ｒは、入賞口２４Ｌ、２４Ｒを開放するとき、互いに近接する方向に傾倒動作し、その下方に閉室３１を形成するので、開放動作する可動片２５Ｌ、２５Ｒによって遊技球が弾き飛ばされたとしても、遊技球は、可動片２５Ｌ、２５Ｒの下方に形成される閉室３１内に留まることができる。これにより、可動片２５Ｌ、２５Ｒとの接触によって遊技球のルートが大きく変化してしまうという問題を解消することができる。
【００１７】
また、閉室３１の下部には、遊技球を振分けるステージ３２が設けられるので、左右の遊技球通路に比べ、中央遊技球通路２７の価値が高められ、その結果、遊技者は、中央遊技球通路２７にだけ集中して遊技することができる。
また、ステージ３２の下方には、可動片２５Ｌ、２５Ｒの開放契機となる始動口１５、１５が配置されるので、左右の遊技球通路に比べ、中央遊技球通路２７の価値をより高めることが可能になる。
また、閉室３１内には、遊技釘３３が配置されるので、閉室３１内における遊技球の滞留時間を延長し、閉室３１に対する遊技者の注目度を高めることができる。
【図面の簡単な説明】
【００１８】
【図１】パチンコ遊技機の正面図である。
【図２】パチンコ遊技機の背面図である。
【図３】本発明の実施形態に係るパチンコ遊技機の遊技盤面を示す正面図である。
【図４】従来例に係るパチンコ遊技機の遊技盤面を示す正面図である。
【符号の説明】
【００１９】
１    パチンコ遊技機
４    遊技盤
１４  可変入賞装置
１５  始動口
１６  大入賞口
１７  ゲート口
１８  アウト口
２３  特定入賞口
２４  入賞口
２５  可動片
２６  入賞領域
２７  中央遊技球通路
３１  閉室
３２  ステージ
３３  遊技釘
【図１】
2007260354.tif 000003
【図２】
2007260354.tif 000004
【図３】
2007260354.tif 000005
【図４】
2007260354.tif 000006